(57)【要約】【課題】  外科手術機器のハンドピースに対して容易にかつ迅速に着脱し得るような外科手術器具を提供すること。【解決手段】  ヒトや動物の身体に対して外科手術を行うための外科手術機器のハンドピース２００と一緒に使用するための外科手術器具１００であって、外側ハブ１１４と、この外側ハブから長手方向に延出された外側チューブ１１２と、を備えてなる外側チューブ部材１１０と；内側ハブ１５４と、この内側ハブから長手方向に延出された内側チューブと１５２、を備えてなる内側チューブ部材１５０と；を具備している。【選択図】  図１
2006043459.tif 000002
【特許請求の範囲】
【請求項１】
ヒトや動物の身体に対して外科手術を行うための外科手術機器のハンドピースと一緒に使用するための外科手術器具であって、
外側ハブと、この外側ハブから長手方向に延出された外側チューブと、を備えてなる外側チューブ部材であるとともに、前記外側チューブと前記外側ハブとが、長手方向穴を形成し、前記外側ハブが、周縁方向に延在するロックグルーブと、前記外側チューブを前記外科手術機器に対して着脱可能に連結し得るよう前記外側ハブの外表面上に配置された係合部材と、を備えているような、外側チューブ部材と；
内側ハブと、この内側ハブから長手方向に延出された内側チューブと、を備えてなる内側チューブ部材であるとともに、前記内側チューブと前記内側ハブとが、長手方向穴を形成し、前記内側チューブが、前記外側チューブ部材の前記長手方向穴内に挿入され得るよう構成され、かつ、前記内側チューブの先端部に隣接して配置された端部作用部分を備え、前記内側ハブが、外科手術を行うための前記外科手術機器のアクチュエータに対して前記内側チューブを着脱可能に連結し得るよう前記内側ハブの外周縁から径方向に延出された連結部材を備えているような、内側チューブ部材と；
を具備していることを特徴とする外科手術器具。
【請求項２】
請求項１記載の外科手術器具において、
前記外側チューブ部材の前記係合部材が、前記外科手術機器の連結デバイスに対して係合するためのキーを備えていることを特徴とする外科手術器具。
【請求項３】
請求項２記載の外科手術器具において、
前記キーが、全体的に、矩形形状または円形形状または楕円形形状を有していることを特徴とする外科手術器具。
【請求項４】
請求項１記載の外科手術器具において、
前記内側ハブの前記連結部材が、互いに等間隔でもって配置されかつ前記内側ハブの前記外周縁から径方向に突出した複数のボスを備えていることを特徴とする外科手術器具。
【請求項５】
請求項４記載の外科手術器具において、
前記内側ハブの前記複数のボスの各々が、全体的に、円形形状または楕円形形状を有していることを特徴とする外科手術器具。
【請求項６】
請求項１記載の外科手術器具において、
前記外側チューブ部材の前記外側チューブが、この外側チューブの先端部に隣接して開口またはウィンドウを備えていることを特徴とする外科手術器具。
【請求項７】
請求項６記載の外科手術器具において、
前記内側チューブの前記端部作用部分が、前記内側チューブ部材を前記外側チューブ部材内に組み立てたときには、外科手術を行い得るよう、前記外側チューブの前記ウィンドウに対応した長手方向位置に配置されていることを特徴とする外科手術器具。
【請求項８】
請求項７記載の外科手術器具において、
前記内側チューブの前記端部作用部分が、前記外側チューブの前記ウィンドウと関連しつつ組織を切除し得るよう切削エッジを有していることを特徴とする外科手術器具。
【請求項９】
請求項８記載の外科手術器具において、
前記内側チューブの前記端部作用部分が、前記内側チューブ部材の前記長手方向穴と流体連通した先端開口を有していることを特徴とする外科手術器具。
【請求項１０】
請求項６記載の外科手術器具において、
前記内側チューブの前記端部作用部分が、外科手術バーまたはグラインダーを有していることを特徴とする外科手術器具。
【請求項１１】
請求項１記載の外科手術器具において、
前記内側ハブが、円筒形先端部を備えていることを特徴とする外科手術器具。
【請求項１２】
請求項１１記載の外科手術器具において、
前記外側チューブ部材の前記外側ハブの基端部が、前記内側ハブの前記先端部を回転可能な態様で受領し得るよう、円筒形状とされた段付穴を有していることを特徴とする外科手術器具。
【請求項１３】
請求項１記載の外科手術器具において、
前記外側チューブ部材の前記外側ハブが、前記外科手術器具を前記外科手術機器の前記ハンドピースに対して取り付けたときにシール効果をもたらし得るよう、前記外科手術機器のシール部材に対して連結し得るよう構成されていることを特徴とする外科手術器具。
【請求項１４】
請求項１記載の外科手術器具において、
前記外科手術器具が、金属から形成されていて、再使用可能とされていることを特徴とする外科手術器具。
【請求項１５】
請求項１記載の外科手術器具において、
前記外科手術器具の少なくとも一部が、プラスチック材料から形成されていることを特徴とする外科手術器具。
【請求項１６】
外科手術を行うための外科手術機器であって、
長尺の外側チューブ部材と、長尺の内側チューブ部材と、を備えてなる外科手術器具であるとともに、前記外側チューブ部材が長手方向穴を形成し、前記外側チューブ部材が、先端側に位置した外側チューブと、基端側に位置した外側ハブと、を備え、前記外側ハブが、この外側ハブの外周縁上に、周縁ロックグルーブと、係合部材と、を備え、前記内側チューブ部材が、さらなる長手方向穴を備え、前記内側チューブ部材が、先端側に位置した内側チューブと、基端側に位置した内側ハブと、を備え、前記内側ハブが、この内側ハブの外周縁から径方向に延出された連結部材を備え、前記内側チューブ部材の前記内側チューブが、前記外側チューブ部材の前記長手方向穴の内部へとスライド的に挿入され得るよう構成されているような、外科手術器具と；
アクチュエータと、前記外科手術器具を取り付けるための連結デバイスと、を備えているハンドピースと；
を具備してなり、
前記連結デバイスが、全体的に円筒形のカプラを備え、
このカプラが、内部に前記外科手術器具の基端部を受領し得るよう構成された長手方向開口と、前記カプラを径方向に貫通して形成された少なくとも１つの周縁穴と、を有し、
前記カプラが、さらに、前記ハンドピースに対して前記外科手術器具を取り付け得るよう、前記外側ハブの前記係合部材に対して連結可能とされた対応係合部材を有し、
前記連結デバイスが、さらに、前記カプラの前記周縁穴内においてスライド可能に受領された少なくとも１つのロックボールを備え、
前記連結デバイスが、さらに、前記カプラを内部に受領するための長手方向開口を有した外側スライド部材を備え、
この外側スライド部材が、内周凹所を有し、
前記外側スライド部材が、前記カプラに沿って、ロック位置と非ロック位置との間にわたって移動可能とされ、
前記ロック位置においては、前記ロックボールが、前記外科手術器具の前記外側ハブの前記周縁方向ロックグルーブに対して係合し得るよう、前記外側スライド部材によって径方向に押し込まれ、これにより、前記ハンドピースの前記連結デバイスに対して前記外科手術器具が連結されるようになっており、
前記非ロック位置においては、前記ロックボールが、前記外側スライド部材の前記周縁凹所内へと少なくとも部分的に回収され、これにより、前記ハンドピースの前記連結デバイスから前記外科手術器具を取り外し得るようになっており、
前記アクチュエータの先端部が、外科手術を行い得るよう、前記外科手術器具の前記内側ハブの前記連結部材に対して連結し得るよう構成された対応連結部材を有していることを特徴とする外科手術機器。
【請求項１７】
請求項１６記載の外科手術機器において、
前記外側ハブの前記係合部材が、前記外側ハブの外周縁に配置されたキーを備え、
前記カプラの前記対応係合部材が、内部に前記キーを受領し得るよう構成された１つまたは複数の先端グルーブを備えていることを特徴とする外科手術機器。
【請求項１８】
請求項１６記載の外科手術機器において、
前記内側ハブの前記連結部材が、互いに等間隔でもって配置されかつ前記内側ハブの前記外周縁から径方向に突出した複数のボスを備えていることを特徴とする外科手術機器。
【請求項１９】
請求項１８記載の外科手術機器において、
前記アクチュエータの前記対応連結部材が、前記内側ハブと前記アクチュエータとを連結し得るよう、前記内側ハブの前記ボスを受領するための、長手方向に延在した複数の連結グルーブを備えていることを特徴とする外科手術機器。
【請求項２０】
請求項１９記載の外科手術機器において、
前記アクチュエータの前記対応連結部材が、さらに、前記アクチュエータの前記連結グルーブに対して隣接して形成されたガイドスロープを備えていることを特徴とする外科手術機器。
【請求項２１】
請求項１６記載の外科手術機器において、
前記連結デバイスが、さらに、前記カプラと前記外側スライド部材との間に配置されたスプリングを備えていることを特徴とする外科手術機器。
【請求項２２】
請求項２１記載の外科手術機器において、
前記スプリングが、前記外側スライド部材を、前記ロック位置に押し込むように付勢していることを特徴とする外科手術機器。
【請求項２３】
請求項１６記載の外科手術機器において、
前記外側ハブの基端部が、段付穴を備え、
前記内側ハブの先端部が、前記内側チューブ部材と前記外側チューブ部材とを組み立てたときには、前記段付穴内にスライド的に受領されるようになっていることを特徴とする外科手術機器。
【請求項２４】
請求項１６記載の外科手術機器において、
前記アクチュエータが、前記内側ハブの少なくとも基端部を内部に受領するための先端開口を備えていることを特徴とする外科手術機器。
【請求項２５】
請求項１６記載の外科手術機器において、
さらに、前記内側チューブ部材の前記長手方向穴を介して灌流流体および組織破片を吸引除去し得るよう構成された真空吸引デバイスを具備していることを特徴とする外科手術機器。
【発明の詳細な説明】
【技術分野】
【０００１】
本発明は、外科手術機器に関するものであり、より詳細には、連結手段を介して外科手術器具が着脱可能に取り付けられているような外科手術用の器具や機器に関するものである。
【背景技術】
【０００２】
様々な外科手術を行うに際し、内視鏡法や関節鏡法や他の低侵襲性手法は、周知の外科手術手法である。このような外科手術においては、患者の身体に形成された小さな切開口を介して外科手術が行われるため、患者の組織または内部器官のごく一部だけしか外部環境に対して露出されない。
【０００３】
このような低侵襲性外科手術を行い得る可能性は、様々な構造や構成を有した電気的外科手術機器の開発によって、推進されている。このタイプの外科手術機器は、一般に、内部にモータを収容した長尺円筒形ボディを有したハンドピースと、このハンドルに対して取り付けられた外科手術プローブまたは外科手術器具と、を備えている。ハンドピースの先端部すなわち前端部には、多くの場合、例えば 縁かがり器（edger）や切除器やプレーナーやバー（burr）等といったような外科手術器具を着脱可能に取り付けるための連結アセンブリが、設けられている。さらに、外科手術器具に対してモータの回転を伝達するための機構が、ハンドピースの内部に設けられている。
【０００４】
ハンドピースは、さらに、典型的には、真空吸引バルブと、外科手術サイトから灌流流体や組織や破片を除去するための導管と、を備えている。この目的のため、真空吸引ポンプが、ハンドピースに対して接続されており、真空吸引力をもたらしている。これにより、外科手術サイトから流体や破片を真空吸引し得るようになっている。
【特許文献１】米国特許第５，３６４，３９５号明細書
【特許文献２】米国特許第６，２５１，１２０号明細書
【発明の開示】
【課題を解決するための手段】
【０００５】
本発明は、一般に、外科手術機器のハンドピースの先端部のところに配置された連結手段を介して連結された外科手術器具を備えているような、新規な外科手術器具および外科手術機器に関するものであって、外科手術器具は、外科手術サイトにおいて外科手術を行い得るよう、容易にかつ迅速にハンドピースに対して取り付け得るとともに、他の操作を行い得るよう、迅速に取り外すことができる。
【０００６】
本発明の一見地においては、ヒトや動物の身体に対して外科手術を行うための外科手術機器のハンドピースと一緒に使用するための外科手術器具は、外側チューブ部材と、内側チューブ部材と、を具備している。外側チューブ部材は、外側ハブと、この外側ハブから長手方向に延出された外側チューブと、を備え、外側チューブと外側ハブとは、長手方向穴を形成し、外側ハブは、周縁方向に延在するロックグルーブと、外側チューブを外科手術機器に対して着脱可能に連結し得るよう外側ハブの外表面上に配置された係合部材と、を備えている。内側チューブ部材は、内側ハブと、この内側ハブから長手方向に延出された内側チューブと、を備え、内側チューブと内側ハブとは、長手方向穴を形成し、内側チューブは、外側チューブ部材の長手方向穴内に挿入され得るよう構成され、かつ、内側チューブの先端部に隣接して配置された端部作用部分を備え、内側ハブは、外科手術を行うための外科手術機器のアクチュエータ（例えば、回転子）に対して内側チューブを着脱可能に連結し得るよう内側ハブの外周縁から径方向に延出された連結部材を備えている。
【０００７】
好ましくは、外側チューブ部材の係合部材は、外科手術機器の連結デバイスに対して係合するためのキーを備えている。内側ハブの連結部材は、互いに等間隔でもって配置されかつ内側ハブの外周縁から径方向に突出した複数の（例えば４つの）ボスを備えている。
【０００８】
本発明の他の見地においては、外科手術を行うための外科手術機器は、外科手術器具と、ハンドピースと、を具備している。外科手術器具は、長尺の外側チューブ部材と、長尺の内側チューブ部材と、を備え、外側チューブ部材は、長手方向穴を形成し、外側チューブ部材は、先端側に位置した外側チューブと、基端側に位置した外側ハブと、を備え、外側ハブは、この外側ハブの外周縁上に、周縁ロックグルーブと、係合部材と、を備え、内側チューブ部材は、さらなる長手方向穴を備え、内側チューブ部材は、先端側に位置した内側チューブと、基端側に位置した内側ハブと、を備え、内側ハブは、この内側ハブの外周縁から径方向に延出された連結部材を備え、内側チューブ部材の内側チューブは、外側チューブ部材の長手方向穴の内部へとスライド的に挿入され得るよう構成されている。
【０００９】
外科手術機器のハンドピースは、アクチュエータ（例えば、回転子）と、外科手術器具を取り付けるための連結デバイスと、を備えている。ハンドピースの連結デバイスは、全体的に円筒形のカプラを備え、このカプラは、内部に外科手術器具の基端部を受領し得るよう構成された長手方向開口と、カプラを径方向に貫通して形成された少なくとも１つの周縁穴と、を有し、カプラは、さらに、ハンドピースに対して外科手術器具を取り付け得るよう、外側ハブの係合部材に対して連結可能とされた対応係合部材を有している。ハンドピースの連結デバイスは、さらに、カプラの周縁穴内においてスライド可能に受領された少なくとも１つのロックボールを備え、連結デバイスは、さらに、カプラを内部に受領するための長手方向開口を有した外側スライド部材を備え、この外側スライド部材は、内周凹所を有し、外側スライド部材は、カプラに沿って、ロック位置と非ロック位置との間にわたって移動可能とされ、ロック位置においては、ロックボールは、外科手術器具の外側ハブの周縁方向ロックグルーブに対して係合し得るよう、外側スライド部材によって径方向に押し込まれ、これにより、ハンドピースの連結デバイスに対して外科手術器具が連結されるようになっており、非ロック位置においては、ロックボールは、外側スライド部材の周縁凹所内へと少なくとも部分的に回収され、これにより、ハンドピースの連結デバイスから外科手術器具を取り外し得るようになっている。回転子の先端部は、外科手術を行い得るよう、外科手術器具の内側ハブの連結部材に対して連結し得るよう構成された対応連結部材を有している。
【００１０】
好ましくは、外科手術器具の外側ハブは、さらに、外側ハブの外周縁に配置されたキーを備え、カプラは、ハンドピースに対して外科手術器具を固定的に連結し得るよう、外側ハブのキーを受領し得るよう構成された１つまたは複数の先端グルーブを備えている。内側ハブの連結部材は、互いに等間隔でもって配置されかつ内側ハブの外周縁から径方向に突出した複数のボスを備え、回転子の対応連結部材は、内側ハブと回転子とを連結し得るよう、内側ハブのボスを受領するための、長手方向に延在した複数の連結グルーブを備えている。連結デバイスは、さらに、カプラと外側スライド部材との間に配置されたスプリングを備え、このスプリングは、好ましくは、外側スライド部材を、ロック位置に押し込むように付勢する。外科手術機器は、好ましくは、内側チューブ部材の長手方向穴を介して灌流流体および組織破片を吸引除去し得るよう構成された真空吸引デバイスを具備している。
【発明を実施するための最良の形態】
【００１１】
本発明の上記のおよび他の特徴点や利点は、添付図面を参照しつつ、本発明の好ましい実施形態に関する以下の詳細な説明を読むことにより、明瞭となるであろう。
【００１２】
図１は、本発明の原理に基づいて構成された外科手術機器の一部を示す断面図であって、外科手術器具が、外科手術機器の連結デバイスに対して取り付けられている。
【００１３】
図２は、図１における外科手術器具の外側チューブ部材を示す側面図である。
【００１４】
図３は、図１における外科手術器具の内側チューブ部材を示す側面図である。
【００１５】
図４は、図１の外科手術機器における連結デバイスを示す側断面図である。
【００１６】
図５は、図１の外科手術機器における連結デバイスの先端部を示す正面図である。
【００１７】
図６は、図１の外科手術機器における外側スライド部材を示す側断面図であって、この外側スライド部材は、連結デバイスに対してスライドによって連結されるようになっており、これにより、外科手術器具を、外科手術機器のハンドピースに対して着脱可能に取り付けることができる。
【００１８】
図１に示すように、本発明による外科手術機器は、外科手術器具１００と、外科手術ハンドピース２００と、を備えている。ハンドピース２００は、このハンドピース２００の先端部に配置された連結デバイス３００を有している。
【００１９】
図１〜図３に示すように、外科手術器具１００は、外側チューブ部材１１０と、内側チューブ部材１５０と、を備えている。内側チューブ部材１５０は、上述したような各種の外科手術操作のために、図１に示すような組立状態においては、外側チューブ部材１１０の長手方向穴に沿って挿入されている。
【００２０】
外側チューブ部材１１０は、一般に、互いに軸方向に連結された長尺外側チューブ１１２および外側ハブ１１４を備えている。外側チューブ１１２は、全体的に円形の薄いチューブから形成されており、小さな切開口を通してヒトまたは動物の体内の内視鏡的外科手術サイトまたは関節鏡的外科手術サイト（図示せず）へと挿入し得るよう構成されている。外側チューブ１１２は、長手方向に沿って、長手方向穴１１６を備えている。この長手方向穴１１６は、基端部が開口しており、この開口した基端部を通して長手方向穴１１６内へと内側チューブ部材１５０を受領することができる。好ましい一実施形態においては、外側チューブ１１２の先端部は、部分的に丸められた先端を有したノーズ部１１８と、ノーズ部１１８に隣接した側面に形成された側面開口すなわちウィンドウ１２０と、を有している。ウィンドウ１２０を通して、外科手術を行うことができる。外側チューブ１１２は、ウィンドウ１２０のところに、外科手術器具１００の特定の構成に応じて、複数の歯１２２を有することができる。代替可能な実施形態においては、ウィンドウ１２０は、様々な形状を有することができ、必要とされたある種の外科手術を行い得るよう、外側チューブ１１２の先端以外の場所に形成することができる。
【００２１】
外側ハブ１１４は、全体的に円筒形状とされ、基端部１２６と先端部１２８との間にわたって軸方向に貫通して形成された長手方向穴１２４を備えている。外側ハブ１１４の長手方向穴１２４の先端部は、外側チューブ１１２の基端部を受領するとともにこの基端部に対して緊密に固定される。外側ハブ１１４の長手方向穴１２４と外側チューブ１１２の長手方向穴１１６とは、互いに連通している。外側ハブ１１４の基端部１２６は、長手方向軸に沿って基端部１２６の基端面から先端向きに延在する座穴部１３０（すなわち、段付穴）を有している。外側ハブ１１４の基端部１２６は、さらに、段付穴１３０の基端部のところに、同軸的に延在する他の座穴部１３２を有することができる。先端部１２８に隣接して、円錐台形状カラー１３４が設けられており、このカラー１３４は、このカラー１３４の基端部のところに形成された背面１３６を有している。
【００２２】
外側ハブ１１４は、先端部１２６と基端部１２８との間に配置された中間部１２８を備えている。この中間部１３８の外周面上には、キー１４０およびピン１４２が設けられている。これらキー１４０およびピン１４２は、中間部１３８の外表面上に形成されたそれぞれ対応する受領グルーブあるいは受領穴から外向きに突出している。キー１４０は、矩形形状、あるいは、円形形状、あるいは、楕円形形状、を有している。ピン１４２の直下においては、圧縮スプリング（図示せず）を、ピン穴内に設けることができ、これにより、ピン１４２を外向きに付勢することができる。中間部１３８は、後述するように、連結デバイス３００のロックボールを受領するための周縁ロックグルーブ１４４を有している。キー１４０（およびピン１４２）とロックグルーブ１４４とを使用することにより、外側チューブ部材１１０を、確実に、なおかつ着脱可能に、後述するように、連結デバイス３００に対して取り付けることができる。加えて、過剰な材料を除去して器具を軽量化し得るよう、中間部１３８は、周縁上に形成されたさらなる周縁グルーブ１４６を有することができる。
【００２３】
図１〜図３に示すように、内側チューブ部材１５０は、一般に、互いに軸方向に連結された長尺内側チューブ１５２および内側ハブ１５４を備えている。内側チューブ１５２は、全体的に円形の薄いチューブから形成されており、外科手術のために、外側チューブ部材１１０の長手方向穴１１６，１２４内へと挿入し得るよう構成されている。内側チューブ１５２は、内部に長手方向穴１５６を備えている。この長手方向穴１５６は、基端部が開口している。好ましい一実施形態においては、内側チューブ１５２の先端部は、部分的に丸められた先端を有したノーズ部１５８と、ノーズ部１５８に隣接した側面に形成された側面開口すなわちウィンドウ１６０と、を有している。ウィンドウ１６０を使用して、外科手術を行うことができる。内側チューブ１５２は、ウィンドウ１６０のところに、外科手術器具１００の特定の構成に応じて、複数の歯１６２を有することができる。代替可能な実施形態においては、ウィンドウ１６０は、様々な形状を有することができ、必要とされたある種の外科手術を行い得るよう、内側チューブ１５２の先端以外の場所に形成することができる。さらに他の代替可能な実施形態においては、内側チューブ１５２は、ウィンドウ１６０を有さないことができる。これに代えて、内側チューブ１５２は、バーヘッド（burring head）や従来技術において公知の他の処置部材を有することができる。これに関しては、例えば、米国特許第５，３６４，３９５号明細書の図７や、米国特許第６，２５１，１２０号明細書の図２〜図４、を参照されたい。いずれの構成においても、先端ウィンドウ１６０（あるいは、例えばバーヘッドといったような他の先端処置部材）は、外科手術を行うに際して外科手術器具１００を組み立てた際には、外側チューブ１１２のウィンドウ１２０に対応した位置に、位置決めし得るよう構成されている。
【００２４】
内側ハブ１５４は、全体的に円筒形状とされ、基端部１６６と先端部１６８との間にわたって軸方向に貫通して形成された長手方向穴１６４を備えている。内側ハブ１５４の長手方向穴１６４の先端部は、内側チューブ１５２の基端部を受領するとともにこの基端部に対して緊密に固定される。内側ハブ１５４の長手方向穴１６４と内側チューブ１５２の長手方向穴１５６とは、互いに連通している。長手方向穴１５６，１６４は、本発明による外科手術機器のハンドピース２００に対して取り付けられた真空吸引ポンプまたは他の真空吸引デバイス（図示せず）によって、外科手術サイトから灌流流体や組織破片を吸引除去するための導管として使用することができる。内側ハブ１５４の基端部１６６の周縁に沿って、複数の（例えば４つの）ボス１７０が配置される。これらボス１７０は、円形や楕円形のような形状を有しており、互いに等間隔でもって離間している。内側ハブ１５４の先端部１６８は、全体的に円筒形状とされ、図１に示すように、外側ハブ１１４の座穴１３０，１３２内へとスライドすることによって受領され得るとともに、これら座穴１３０，１３２内において回転可能に受領され得るよう構成されている。
【００２５】
図１に示すように、外側チューブ部材１１０内へと内側チューブ部材１５０を組み付けたときには、内側チューブ部材１５０の内側チューブ１５２および先端部１６８が、外側チューブ部材１１０の長手方向穴１１６，１２４内へとスライド可能に受領され（かつ、回転可能に受領され）、外側チューブ１１２と内側チューブ１５２とは、互いに近接して配置される。しかしながら、内側ハブ１５４の基端部１６６は、外側に突出しており、複数のボス１７０が、外部環境へと露出している。
【００２６】
外側チューブ部材１１０および内側チューブ部材１５０（ハブ１１４，１５４も含めて）が、好ましくは、ステンレススチールや金属や外科手術器具において使用可能であるような他の適切な材料から形成することができ、適切な殺菌後にはその後の外科手術において好ましくは再利用可能とされていることに、注意されたい。
【００２７】
しかしながら、本発明においては、使い捨てタイプの外科手術器具も、また、想定している。このタイプの器具においては、外側チューブ部材１１０および内側チューブ部材１５０は、軽量材料や、合金や、エンジニアリングプラスチックのようなプラスチック材料、から形成することができる。これに代えて、外側チューブ１１２および内側チューブ１５２をステンレススチールから形成しつつ、ハブ１１４，１５４を、プラスチック材料から形成することができる。
【００２８】
さて、以下においては、図１および図４〜図６を参照して、本発明のさらなる特徴点について説明する。
【００２９】
図１に示すように、ハンドピース２００は、ハンドピースハウジング２１０の先端部に固定された連結デバイス３００と、ハウジング２１０内において回転可能に配置された回転子２２０と、を備えている。モータまたは回転アプリケータ（図示せず）が、ハウジング２１０内に配置されており、回転子２２０に対して回転力をもたらし得るものとされている。さらに、外科手術機器の他の構成部材（図示せず）が、ハンドピース２００の内部に配置されている。
【００３０】
回転子２２０の先端部は、回転子ハブ２３０を備えている。回転子ハブ２３０は、中空内部を有した開口を備えており、この開口は、内側ハブ１５４の基端部をスライド可能に受領し得るよう構成されている。回転子ハブ２３０は、さらに、先端部に形成された複数の（例えば４つの）連結グルーブ２４０を備えている。複数の連結グルーブ２４０は、等間隔をなすようにして互いに離間しているとともに、離間具合は、内側ハブ１５４の複数のボス１７０の離間具合に対応している。これにより、外科手術器具１００を連結デバイス３００に対して組み付ける際には、複数の連結グルーブ２４０と複数のボス１７０とを連結することができる。これにより、回転子２２０によって、内側チューブ部材１５０を回転駆動することができる。回転子ハブ２３０の先端部は、複数のガイドスロープ２５０を備えている。これらガイドスロープ２５０は、連結グルーブ２４０から外向きに傾斜しながら突出しており、複数の（例えば４つの）頂点２６０を、回転子ハブ２３０の最先端位置に形成している。連結グルーブ２４０に隣接してガイドスロープ２５０が形成されていることにより、組み立てられた外科手術器具１００が連結デバイス３００の長手方向開口３０２内へと挿入されたときには（そして、それによって組み付けられたときには）、内側ハブ１５４上に形成されたボス１７０は、連結グルーブ２４０内へと自動的に案内され、これと同時に、内側ハブ１５４は、回転に関する向きが調節される。側面真空吸引開口２７０が、ハウジング２１０に、あるいは、中空回転子ハブ２３０に、設けられている。側面真空吸引開口２７０は、内側チューブ部材１５０の長手方向穴１５６，１６４と流体連通しており、これにより、ハンドピース２００に対して取り付けられた真空吸引ポンプ（図示せず）によって外科手術サイトから灌流流体や組織破片を吸引除去することができる。
【００３１】
図１および図４〜図６に示すように、連結デバイス３００は、円筒形状カプラ３１０と、外側スライド部材３２０と、を備えている。円筒形状カプラ３１０と外側スライド部材３２０とは、外科手術器具１００と連結デバイス３００との間の迅速かつ着脱可能な取付をもたらし得るよう、互いに連結される。
【００３２】
特に図４に示すように、カプラ３１０は、全体的に円筒形状を有しており、長手方向全体にわたって延在する長手方向内部開口３０２を有している。カプラ３１０には、中間部のところに、環状グルーブ３３０が形成されている。環状グルーブ３３０は、Ｏ−リング３４０（図１）を固定的に受領し得るものとされている。このＯ−リング３４０は、外側ハブ１１４の基端部１２６の外表面に対して接触する。このようなシール構成は、上述したような真空吸引ポンプによる灌流流体の吸引除去を効果的なものとする。
【００３３】
カプラ３１０の基端部３５０は、ハンドピース２００のハウジング２１０に対して固定的に連結され得るよう構成されている。カプラ３１０の先端部３６０は、少なくとも１つの（例えば２つの）キー穴３８０を備えている。このキー穴３８０は、外側ハブ１１４の矩形キー１４０を受領するためのものであり、これにより、回転子２２０による回転駆動時に、外側ハブ１１４（および外側チューブ１１２）が連れ回りしてしまうことを、防止することができる。先端部３６０が、例えば、頂部および底部のところに互いに１８０°だけ離間した状態で径方向反対側に２つのキー穴２８０を備えている場合には、外科手術器具１００は、特定の外科手術状況に応じた外科医の選択によって、上向き状態においてもまた下向き状態においても、挿入することができる。先端部３６０は、さらに、ピングルーブ３７０を備えることができ、外側ハブ１１４のピン１４２を受領することができる。
【００３４】
複数の（例えば、２つ〜４つの）周縁径方向穴３９０が、カプラ３１０の周縁回りにおいて、かつ、ピン穴３７０およびキー穴３８０よりも基端側において、形成されている。周縁穴３９０は、内部に、複数の（例えば、２つ〜４つの）ロックボール４００（図１）を受領し得るよう構成されているとともに、カプラ３１０の中央開口３０２内へとロックボール４００が滑り落ちてしまうことを防止し得るよう、環状座３９２を備えている。外側肩部４１０が、カプラ３１０の中間部に設けられている。外側肩部４１０は、図１に示すようにカプラ３１０の中間部あたりに配置される圧縮スプリング５００の基端部に対して、当接する。
【００３５】
図１および図６に示すように、連結デバイス３００の外側スライド部材３２０は、全体的に円筒形状とされ、全体にわたって貫通して形成された内部軸方向開口４２０を備えている。開口４２０は、カプラ３１０の先端部３６０をスライド的に受領する第１内径４３０と、内部に圧縮スプリング５００を受領するための第２内径４４０と、を備えている。環状内側グルーブすなわち凹所４５０が、開口４２０の中間部のところに形成されている。凹所４５０は、外側スライド部材３２０が引き戻されたときには（すなわち、非ロック位置においては）内部にロックボール４００を受領する。これにより、組み立てられた外科手術器具１００を連結デバイス３００から取り外すことができる、あるいは、外科手術器具１００をハンドピース２００の連結デバイス３００上へと取り付けることができる。しかしながら、外側スライド部材３２０が引き戻されるまでは、外側スライド部材３２０は、先端向きに常に付勢されている。それは、圧縮スプリング５００が、カプラ３１０と外側スライド部材３２０との間に配置されているからである（すなわち、ロック位置）。よって、ロック位置においては、カプラ３１０の周縁穴３９０内に収容されたボール４００は、内側接触面によって中央開口３０２に向けて押し込まれる。これにより、ボール４００は、外側ハブ１１４のロックグルーブ１４４に対して係合し、これにより、外科手術器具１００が、ハンドピース２００に対して固定的に取り付けられる。ここで、外科手術器具１００の取外しは、使用者が、一方の手でもって外側スライド部材３２０を後方側へと引っ張ることにより、なおかつ、他方の手でもって外科手術器具１００を前方側へと引っ張ることにより、行うことができる。連結デバイス３００におけるこのようなボールロック構成は、上述したようなスプリング５００および／またはキー構成および／またはピン連結と組み合わせることにより、外科手術器具１００とハンドピース２００との間の確実でありかつ着脱可能な連結をもたらすことができる。また、外科手術を行うに際して外科手術器具１００とハンドピース２００とを適切に組み合わせたときには、外科手術器具１００とハンドピース２００との間の偶発的な脱離を防止することができる。
【００３６】
上述したように、外科手術器具１００の外側ハブ１１４が、取付のために連結デバイス３００の軸方向開口３０２内へと挿入されたときには、内側ハブ１５４の側方ボス１７０が、ガイドスロープ２５０を利用しつつ、回転子２２０の連結グルーブ２４０に対して自動的に結合する。これにより、外側チューブ部材１１０を連結デバイス３００によって確実に保持しつつ、内側チューブ部材１５０を、回転子２２０によって回転駆動することができる。これにより、外科手術サイトにおいて、例えば生体組織の切除や骨の切削や除去や当該技術分野において公知であるような他の処置を、行うことができる。
【００３７】
本発明につき、本発明の好ましい実施形態を参照して図示して説明したけれども、当業者であれば、特許請求の範囲によって規定された本発明の精神および範囲を逸脱することなく、それら実施形態に対して様々な修正や変形を行い得ることは、理解されるであろう。
【図面の簡単な説明】
【００３８】
【図１】本発明の原理に基づいて構成された外科手術機器の一部を示す断面図であって、外科手術器具が、外科手術機器の連結デバイスに対して取り付けられている。
【図２】図１における外科手術器具の外側チューブ部材を示す側面図である。
【図３】図１における外科手術器具の内側チューブ部材を示す側面図である。
【図４】図１の外科手術機器における連結デバイスを示す側断面図である。
【図５】図１の外科手術機器における連結デバイスの先端部を示す正面図である。
【図６】図１の外科手術機器における外側スライド部材を示す側断面図であって、この外側スライド部材は、連結デバイスに対してスライドによって連結されるようになっており、これにより、外科手術器具を、外科手術機器のハンドピースに対して着脱可能に取り付けることができる。
【符号の説明】
【００３９】
１００  外科手術器具
１１０  外側チューブ部材
１１２  外側チューブ
１１４  外側ハブ
１１６  長手方向穴
１２０  ウィンドウ
１２４  長手方向穴
１３０  段付穴
１４０  キー（係合部材）
１４４  周縁ロックグルーブ
１５０  内側チューブ部材
１５２  内側チューブ
１５４  内側ハブ
１５６  長手方向穴
１６４  長手方向穴
１７０  ボス（連結部材）
２００  ハンドピース
２２０  回転子（アクチュエータ）
２４０  連結グルーブ（対応連結部材）
２５０  ガイドスロープ
３００  連結デバイス
３１０  カプラ
３２０  外側スライド部材
３４０  Ｏ−リング（シール部材）
３８０  キー穴
４００  ロックボール
５００  圧縮スプリング
【図１】
2006043459.tif 000003
【図２】
2006043459.tif 000004
【図３】
2006043459.tif 000005
【図４】
2006043459.tif 000006
【図５】
2006043459.tif 000007
【図６】
2006043459.tif 000008
【外国語明細書】
2006043459.tif 000009
2006043459.tif 000010
2006043459.tif 000011
2006043459.tif 000012
2006043459.tif 000013
2006043459.tif 000014
2006043459.tif 000015
2006043459.tif 000016
2006043459.tif 000017
2006043459.tif 000018
2006043459.tif 000019
2006043459.tif 000020
2006043459.tif 000021
2006043459.tif 000022
2006043459.tif 000023
2006043459.tif 000024
2006043459.tif 000025
2006043459.tif 000026
2006043459.tif 000027
2006043459.tif 000028
2006043459.tif 000029
2006043459.tif 000030
2006043459.tif 000031